(57)【特許請求の範囲】
【請求項１】
所要の高さで水底または地面上に立設されている導材上に下端を支持させてワイヤーロープで所要の方向に所要の角度で斜に吊り下げ支持された吊りリーダーと、該吊りリーダーの斜め下向き側面に沿って設けられたハンマーガイドにガイドされて昇降して斜杭をその頭部を叩いて水底または地面に打ち込むハンマーとを備えた斜杭打ち装置において、
前記吊りリーダーが前記斜杭の周方向に回転するのを阻止する吊りリーダー仮止め機構が前記吊りリーダーの下部と前記導材とに跨がって設けられていることを特徴とする斜杭打ち装置。
【請求項２】
前記吊りリーダー仮止め機構が、前記吊りリーダーの下部に水平向きで固定された水平支軸と、前記導材に固定されていて前記水平支軸の両端を回転自在に支持する軸受部材とで構成されていることを特徴とする請求項１に記載の斜杭打ち装置。
【請求項３】
前記軸受部材は前記導材に固定されたＵボルトで構成されていることを特徴とする請求項２に記載の斜杭打ち装置。
【発明の詳細な説明】
【０００１】
【発明の属する技術分野】
本発明は、吊りリーダーとハンマーとを用いて斜杭を水底または地面に打ち込む斜杭打ち装置に関するものである。
【０００２】
【従来の技術】
図４〜図７に示すように、従来のこの種の斜杭打ち装置は、所要の高さで水底に立設されている導材１上に下端を支持させて四角筒状の吊りリーダー２がクレーン３のワイヤーロープ４で所要の方向に所要の角度で斜に吊り下げ支持され、クレーン３のワイヤーロープ５に吊られたバイブロハンマー６が吊りリーダー２の斜め下向き側面２ａに沿って設けられたハンマーガイド７にガイドされて鋼管よりなる斜杭８をその頭部を叩いて水底９に打ち込むようになっていた。また、吊りリーダー２の下部寄りの位置には、杭ずれ防止カバー１０が設けられていた。
【０００３】
【発明が解決しようとする課題】
しかしながら、このような従来の斜杭打ち装置にあっては、吊りリーダー２とハンマー６とを斜杭８にセットするときに、吊りリーダー２とハンマー６との重量のバランスの相違によって、図８に示すように吊りリーダー２が斜杭８の周方向に回転してしまって、吊りリーダー２が斜杭８の斜め上向きの側面側に位置するようにうまくセットすることができない問題点があった。
【０００４】
本発明の目的は、吊りリーダーが斜杭の周方向に回転するのを防止できる斜杭打ち装置を提供することにある。
【０００５】
本発明の他の目的は、簡単な構成の吊りリーダー仮止め機構により吊りリーダーが斜杭の周方向に回転するのを防止できる斜杭打ち装置を提供することにある。
【０００６】
【課題を解決するための手段】
上記の目的を達成する本発明に係る斜杭打ち装置の構成を説明すると、次の通りである。
【０００７】
請求項１に記載の発明は、所要の高さで水底または地面上に立設されている導材上に下端を支持させてワイヤーロープで所要の方向に所要の角度で斜に吊り下げ支持された吊りリーダーと、該吊りリーダーの斜め下向き側面に沿って設けられたハンマーガイドにガイドされて昇降して斜杭をその頭部を叩いて水底または地面に打ち込むハンマーとを備えた斜杭打ち装置において、
前記吊りリーダーが前記斜杭の周方向に回転するのを阻止する吊りリーダー仮止め機構が前記吊りリーダーの下部と前記導材とに跨がって設けられていることを特徴とする。
【０００８】
このように吊りリーダー仮止め機構を、吊りリーダーの下部と導材とに跨がって設けると、吊りリーダーが斜杭の周方向に回転するのを阻止することができる。このため従来の斜杭打ち装置に比べて能率よく斜杭打ちを行うことができる。
【０００９】
請求項２に記載の発明は、請求項１において、前記吊りリーダー仮止め機構が、前記吊りリーダーの下部に水平向きで固定された水平支軸と、前記導材に固定されていて前記水平支軸の両端を回転自在に支持する軸受部材とで構成されていることを特徴とする。
【００１０】
このように吊りリーダー仮止め機構を構成すると、該吊りリーダー仮止め機構の構成が簡単であり、コストの上昇を抑制して実施することができる。
【００１１】
請求項３に記載の発明は、請求項２において、前記軸受部材は前記導材に固定されたＵボルトで構成されていることを特徴とする。
【００１２】
このように軸受部材として、導材に固定されて水平支軸を軸受するＵボルトを用いると、軸受部材として安価な部品を使用することができる。
【００１３】
【発明の実施の形態】
図１〜図３は本発明に係る斜杭打ち装置における実施の形態の一例を示したもので、前述した図４〜図７と対応する部分には同一符号を付けて示している。
【００１４】
本例の斜杭打ち装置においては、吊りリーダー２が斜杭８の周方向に回転するのを阻止する吊りリーダー仮止め機構１１が、四角筒状の吊りリーダー２の下部とＩ型鋼よりなる導材１とに跨がって設けられている。この吊りリーダー仮止め機構１１は、吊りリーダー２の下部に水平向きで固定された水平支軸１２と、導材１に固定されていて水平支軸１２の両端を回転自在に支持する軸受部材１３，１３とで構成されている。水平支軸１２は、例えば直径が５０mm程度の鋼棒からなり、吊りリーダー２の下部に溶接部１４により固定されている。各軸受部材１３，１３は、導材１にボルトまたはブルマン１５，１５により固定されたＵボルトにより構成されている。その他の構成は、前述した図４〜図７と同様になっている。
【００１５】
このように吊りリーダー仮止め機構１１を、吊りリーダー２の下部と導材１とに跨がって設けると、吊りリーダー２が斜杭８の周方向に回転するのを阻止することができる。このため従来の斜杭打ち装置に比べて能率よく斜杭打ちを行うことができる。
【００１６】
この場合、吊りリーダー仮止め機構１１が、吊りリーダー２の下部に水平向きで固定された水平支軸１２と、導材１に固定されていて水平支軸１２の両端を回転自在に支持する軸受部材１３とで構成されていると、該吊りリーダー仮止め機構１１の構成が簡単であり、コストの上昇を抑制して実施することができる。また、軸受部材１３として、導材１に固定されて水平支軸１２を軸受するＵボルトを用いると、軸受部材１３として安価な部品を使用することができる。
【００１７】
上記例では、水底９に斜杭８を打ち込む例について示したが、この斜杭打ち装置は斜杭８を地面に打ち込む場合にも使用できることは勿論である。
【００１８】
【発明の効果】
本発明に係る斜杭打ち装置においては、吊りリーダーが斜杭の周方向に回転するのを阻止する吊りリーダー仮止め機構を吊りリーダーの下部と導材とに跨がって設けているので、吊りリーダーが斜杭の周方向に回転するのを阻止することができ、このため従来の斜杭打ち装置に比べて能率よく斜杭打ちを行うことができる。
【図面の簡単な説明】
【図１】本発明に係る斜杭打ち装置における実施の形態の一例を示す側面図である。
【図２】本例の斜杭打ち装置で用いている吊りリーダー仮止め機構の正面図である。
【図３】本例の斜杭打ち装置で用いている吊りリーダー仮止め機構の側面図である。
【図４】従来の斜杭打ち装置の全体構成を示す側面図である。
【図５】従来の斜杭打ち装置の要部構成を示す側面図である。
【図６】図５のＸ−Ｘ線断面図である。
【図７】図５のＹ−Ｙ方向矢視図である。
【図８】従来の斜杭打ち装置で吊りリーダーが斜杭の周方向に回転する状態を示した説明図である。
【符号の説明】
１  導材
２  吊りリーダー
２ａ  斜め下向き側面
３  クレーン
４，５  ワイヤーロープ
６  バイブロハンマー
７  ハンマーガイド
８  斜杭
９  水底
１０  杭ずれ防止カバー
１１  吊りリーダー仮止め機構
１２  水平支軸
１３  軸受部材
１４  溶接部
１５  ボルトまたはブルマン
【図１】
0004069311.tif 000002
【図２】
0004069311.tif 000003
【図３】
0004069311.tif 000004
【図４】
0004069311.tif 000005
【図５】
0004069311.tif 000006
【図６】
0004069311.tif 000007
【図７】
0004069311.tif 000008
【図８】
0004069311.tif 000009